【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
熱焼灼システムであって、
第１の圧力で流体源から流体を受容する流体処理ユニットであって、該流体処理ユニットは、流体を所望の温度に加熱する加熱装置とポンプとを含む、流体処理ユニットと、
作動位置にある時、中空器官内に受容されるシースを含む導入器であって、該シースは、該加熱装置によって加熱される流体を該中空器官へと導入する送達内腔と、該中空器官から流体を回収し、戻り内腔を通して、制御装置へと該回収された流体を戻す戻り内腔とを含み、該ポンプは、該流体源と該導入器の該送達内腔との間の該流体の圧力を上昇させる、導入器と
を備える、システム。
【請求項２】
前記流体処理ユニットは、再使用可能制御装置と、使い捨てカートリッジとを含み、いかなる流体も、該制御装置を通過しない、請求項１に記載のシステム。
【請求項３】
前記ポンプは、実質的に一定量だけ、前記流体の圧力を上昇させ、該ポンプのモータは、前記制御装置内に配置され、該ポンプの羽根車は、前記カートリッジ内に配置され、該モータは、磁気連結を介して、該羽根車を駆動する、請求項１に記載のシステム。
【請求項４】
前記流体処理ユニットは、高さ可変基部上に搭載される、請求項１に記載のシステム。
【請求項５】
前記制御装置は、前記流体処理ユニットの流体入口の上方に所定の高さで前記流体源を搭載する流体バッグ搭載ポールを含み、前記中空器官内の所望の実質的に一定の流体圧力を達成する、請求項３に記載のシステム。
【請求項６】
前記流体処理ユニットは、ディスプレイ画面、タッチスクリーン、キーパッド、およびスピーカのうちの少なくとも１つを含む、ユーザインターフェースを含む、請求項１に記載のシステム。
【請求項７】
前記流体処理ユニットは、前記流体源と前記中空器官との間の所望の高さ差を保証する高さ決定機構を含み、該高さ決定機構は、該中空器官に対する参照高さの視覚的指示を提供し、該高さ決定機構は、実質的に水平に光線を投影する光線ポートを含む、請求項１に記載のシステム。
【請求項８】
前記制御装置は、前記カートリッジ内の流体循環内腔を選択的に開閉する弁配列を含み、該弁配列は、少なくとも１つのピンチ弁を含む、請求項２に記載のシステム。
【請求項９】
前記カートリッジは、前記戻り内腔からの流体を濾過するフィルタ配列を含む、請求項２に記載のシステム。
【請求項１０】
前記カセットは、前記流体を保存するリザーバと、該リザーバ内の流体のレベルに対応する信号を出力するレベルセンサとを含み、前記制御装置は、該信号に応じて、流体量を決定するコントローラを含む、請求項２に記載のシステム。
【請求項１１】
前記カートリッジは、前記戻り内腔から排液バッグ内に流体を空ける排液内腔を含む、請求項２に記載のシステム。
【請求項１２】
前記導入器は、そこから遠位に延在するシースと、そこから近位に延在するスコープコネクタとを有するグリップを含み、該グリップは、片手使用のために定寸および成形され、該スコープコネクタは、該導入器に視覚化デバイスを取外し可能に連結するロックと、該導入器の長さを調節するスコープアダプタとを含む、請求項１に記載のシステム。
【請求項１３】
前記シースは、該シースの遠位端から近位に配置されるシールを含み、該シールは、該シースから放射状に拡張可能であり、該シースの遠位端と該シールの遠位端との間の距離は、該シースの遠位端が前記中空器官内の所望の位置にあるとき、それを通して該シースが該中空器官内に導入される内腔内に、該シールが配置されるように選択される、請求項１２に記載のシステム。
【請求項１４】
前記中空器官は子宮であり、前記距離は０ｃｍ〜１．５ｃｍであり、それにより、前記シースの遠位端が該子宮内の所望の位置にあるとき、前記シールが頚部内に配置される、請求項１３に記載のシステム。
【請求項１５】
前記導入器は、支持鉤安定装置を含む、請求項１に記載のシステム。
【手続補正２】
【補正対象書類名】明細書
【補正対象項目名】０００４
【補正方法】変更
【補正の内容】
【０００４】
（本発明の概要）
本発明は、第１の圧力で流体源から流体を受容する流体処理ユニットであって、所望の温度に流体を加熱する加熱装置とポンプとを含む流体処理ユニットと、作動位置にある時、中空器官内に受容されるシースであって、加熱装置によって加熱された流体を中空器官へと導入する送達内腔と、中空器官から流体を回収し、戻り内腔を通して、制御装置へと回収された流体を戻す、戻り内腔とを含む、シースを含み、ポンプは、流体源と導入器の送達内腔との間の流体の圧力を上昇させる、導入器とを備える、熱焼灼システムに関する。
例えば、本発明は以下の項目を提供する。
（項目１）
熱焼灼システムであって、
第１の圧力で流体源から流体を受容する流体処理ユニットであって、該流体処理ユニットは、流体を所望の温度に加熱する加熱装置とポンプとを含む、流体処理ユニットと、
作動位置にある時、中空器官内に受容されるシースを含む導入器であって、該シースは、該加熱装置によって加熱される流体を該中空器官へと導入する送達内腔と、該中空器官から流体を回収し、戻り内腔を通して、制御装置へと該回収された流体を戻す戻り内腔とを含み、該ポンプは、該流体源と該導入器の該送達内腔との間の該流体の圧力を上昇させる、導入器と
を備える、システム。
（項目２）
上記流体処理ユニットは、再使用可能制御装置と、使い捨てカートリッジとを含む、項目１に記載のシステム。
（項目３）
上記ポンプは、実質的に一定量だけ、上記流体の圧力を上昇させる、項目１に記載のシステム。
（項目４）
上記ポンプのモータは、上記制御装置内に配置され、該ポンプの羽根車は、上記カートリッジ内に配置される、項目２に記載のシステム。
（項目５）
上記モータは、磁気連結を介して、上記羽根車を駆動する、項目４に記載のシステム。
（項目６）
いかなる流体も、上記制御装置を通過しない、項目２に記載のシステム。
（項目７）
上記流体処理ユニットは、高さ可変基部上に搭載される、項目１に記載のシステム。
（項目８）
上記制御装置は、上記流体処理ユニットの流体入口の上方に所定の高さで上記流体源を搭載する流体バッグ搭載ポールを含み、上記中空器官内の所望の実質的に一定の流体圧力を達成する、項目３に記載のシステム。
（項目９）
上記流体処理ユニットは、ディスプレイ画面、タッチスクリーン、キーパッド、およびスピーカのうちの少なくとも１つを含む、ユーザインターフェースを含む、項目１に記載のシステム。
（項目１０）
上記流体処理ユニットは、上記流体源と上記中空器官との間の所望の高さ差を保証する高さ決定機構を含む、項目１に記載のシステム。
（項目１１）
上記高さ決定機構は、上記中空器官に対する参照高さの視覚的指示を提供する、項目１０に記載のシステム。
（項目１２）
上記高さ決定機構は、実質的に水平に光線を投影する光線ポートを含む、項目１１に記載のシステム。
（項目１３）
上記制御装置は、上記カートリッジ内の流体循環内腔を選択的に開閉する弁配列を含む、項目２に記載のシステム。
（項目１４）
上記弁配列は、少なくとも１つのピンチ弁を含む、項目１４に記載のシステム。
（項目１５）
上記カートリッジは、上記戻り内腔からの流体を濾過するフィルタ配列を含む、項目２に記載のシステム。
（項目１６）
上記カセットは、上記流体を保存するリザーバと、該リザーバ内の流体のレベルに対応する信号を出力するレベルセンサとを含む、項目２に記載のシステム。
（項目１７）
上記制御装置は、上記信号に応じて、流体量を決定するコントローラを含む、項目１６に記載のシステム。
（項目１８）
上記カートリッジは、上記戻り内腔から排液バッグ内に流体を空ける排液内腔を含む、項目２に記載のシステム。
（項目１９）
上記導入器は、そこから遠位に延在するシースと、そこから近位に延在するスコープコネクタとを有するグリップを含む、項目１に記載のシステム。
（項目２０）
上記グリップは、片手使用のために定寸および成形される、項目１９に記載のシステム。
（項目２１）
上記スコープコネクタは、上記導入器に視覚化デバイスを取外し可能に連結するロックと、該導入器の長さを調節するスコープアダプタとを含む、項目１９に記載のシステム。
（項目２２）
上記シースは、該シースの遠位端から近位に配置されるシールを含む、項目１９に記載のシステム。
（項目２３）
上記シールは、上記シースから放射状に拡張可能である、項目２２に記載のシステム。
（項目２４）
上記シースの遠位端と上記シールの遠位端との間の距離は、該シースの遠位端が上記中空器官内の所望の位置にある時、内腔であって、それを通して該シースが該中空器官内に導入される、内腔内に、該シールが配置されるように選択される、項目２２に記載のシステム。
（項目２５）
上記中空器官は子宮であり、上記距離は０ｃｍ乃至１．５ｃｍであり、それにより、上記シースの遠位端が該子宮内の所望の位置にある時、上記シールが頚部内に配置される、項目２４に記載のシステム。
（項目２６）
上記導入器は、支持鉤安定装置を含む、項目１に記載のシステム。
（項目２７）
方法であって、
熱焼灼システムの流体処理ユニットを、治療される中空器官に対する所望の高さに整列することと、
該流体処理ユニット内の流体を所定の温度に加熱することと、
該流体処理ユニットから、流体送達内腔を通して、中空器官内に挿入される導入器内へと該流体を送出することと、
該流体が該中空器官を通して循環された後、組織構造から、該導入器内の流体戻り内腔を通して、該流体処理ユニットへと該流体を回収することと
を備える、方法
（項目２８）
上記流体戻り内腔から受容される流体を濾過することと、
上記流体送達内腔を通して、上記導入器内に該流体を送り戻すことと
をさらに備える、項目２７に記載の方法。
（項目２９）
上記中空器官を通して循環する上記流体の量を監視することと、
該量が所定の範囲外である時、安全手技を実行することと
をさらに備える、項目２７に記載の方法。